(57)【要約】【課題】ビール容器を持ったままで泡立てながらビールを注ぐことができるビール泡立て装置を提供すること。【解決手段】携帯可能に構成されたビール泡立て装置１０であって、ビール容器５０の上端部を抱持するようにビール容器５０に装着可能に構成されるとともに、ビール容器５０内のビールを泡立てるための超音波振動子４０が設けられた抱持部１５と、超音波振動子を作動させる駆動装置を収容する収容部１３と、抱持部１５がビール容器５０の上端部を抱持した状態でビール容器５０に対して抱持部１５を係止する係止部材１６ａ，１６ｂと、操作によって駆動装置を作動させる操作子１４と、を備えている。【選択図】図１
2020111366.tif 000002
【特許請求の範囲】
【請求項１】
携帯可能に構成されたビール泡立て装置であって、
ビール容器の上端部を抱持するように前記ビール容器に装着可能に構成されるとともに、前記ビール容器内のビールを泡立てるための超音波振動子が設けられた抱持部と、
前記超音波振動子を作動させる駆動装置を収容する収容部と、
前記抱持部が前記ビール容器の上端部を抱持した状態で前記ビール容器に対して前記抱持部を係止する係止部材と、
操作によって前記駆動装置を作動させる操作子と、
を備えたことを特徴とするビール泡立て装置。
【請求項２】
前記ビール容器はビール缶であり、前記抱持部は、前記ビール缶の少なくとも注ぎ口に対応する部分が開口するようにＣ字状に形成されていることを特徴とする請求項１記載のビール泡立て装置。
【請求項３】
前記抱持部の周方向の一端部のビール容器に当接する位置に前記超音波振動子が設けられていることを特徴とする請求項２記載のビール泡立て装置。
【請求項４】
前記収容部は前記抱持部に連設され片手で握持可能なグリップを構成していることを特徴とする請求項１〜請求項３のいずれか一項に記載のビール泡立て装置。
【請求項５】
前記操作子は、前記グリップを握持した手の指で操作可能に構成されていることを特徴とする請求項４記載のビール泡立て装置。
【請求項６】
前記係止部材は、前記抱持部の周方向に所定間隔で設けられビール缶の巻締め部の下側に潜り込む複数の爪を備え、この複数の爪によって前記ビール缶に対して前記抱持部を係止するように構成されていることを特徴とする請求項１〜請求項５のいずれか一項に記載のビール泡立て装置。
【請求項７】
前記爪が３個以上設けられ、前記爪のうちの１つの爪は可動爪となっていて前記ビール缶の注ぎ口とは反対側に位置し、前記可動爪は半径方向に往復動作可能に構成され半径方向内方に動作したときに前記ビール缶に対して前記抱持部を係止し、半径方向外方に移動したときに係止を解除するように構成され、残りの爪は固定爪となっていること特徴とする請求項６記載のビール泡立て装置。
【発明の詳細な説明】
【技術分野】
【０００１】
本発明はビール泡立て装置に関するものである。
【０００２】
従来、ビール泡立て装置として、本体部に超音波振動子が設けられ、本体部がグリップとなっており、片手で把持及び操作可能に構成された装置が知られている（例えば、特許文献１参照）。
【０００３】
このビール泡立て装置によれば、ビール容器を動かさずに、ビール泡立て装置の方を片手で把持してビール容器に近づけて接触させることでビールを泡立て、遠ざけて非接触とさせることでビールの泡立てを停止させることができる。したがって、ビール容器を所定の位置に据え置く据置きタイプのビール泡立て装置よりも構成が簡素となり、ビールの泡立てが簡便に行えることになる。
【先行技術文献】
【特許文献】
【０００４】
【特許文献１】特許第４１３５５６８号公報
【発明の概要】
【発明が解決しようとする課題】
【０００５】
しかしながら、上記特許文献１開示の技術では、例えば、片手でビール泡立て装置を把持及び操作はできるが、ビール容器内のビールを安定して泡立てるには他方の手でビール容器を押さえて静止させておく必要がある。また、泡立てたビールを注ぐ際には、ビール泡立て装置をテーブルに置くか、或いは、ビール泡立て装置を片手で持ったままにして他方の手でビールを注がなければならなかった。
また、ビール容器を静止させて泡立てることから、ビール容器がアルミ缶のように外部から内部が見えないものでは、目視によって泡立て具合を調整するのが難しいという問題があった。
【０００６】
本発明は、かかる問題点に鑑みなされたもので、ビール容器を持ったままで泡立てながらビールを注ぐことができるビール泡立て装置を提供することを目的とする。
【課題を解決するための手段】
【０００７】
第１の手段は、
携帯可能に構成されたビール泡立て装置であって、
ビール容器の上端部を抱持するように前記ビール容器に装着可能に構成されるとともに、前記ビール容器内のビールを泡立てるための超音波振動子が設けられた抱持部と、
前記超音波振動子を作動させる駆動装置を収容する収容部と、
前記抱持部が前記ビール容器の上端部を抱持した状態で前記ビール容器に対して前記抱持部を係止する係止部材と、
操作によって前記駆動装置を作動させる操作子と、
を備えたことを特徴とする。
【０００８】
第２の手段は、第１の手段であって、前記ビール容器はビール缶であり、前記抱持部は、前記ビール缶の少なくとも注ぎ口に対応する部分が開口するようにＣ字状に形成されていることを特徴とする。
【０００９】
第３の手段は、第２の手段であって、前記抱持部の周方向の一端部のビール容器に当接する位置に前記超音波振動子が設けられていることを特徴とする。
【００１０】
第４の手段は、第１の手段〜第３の手段のいずれか一の手段であって、前記収容部は前記抱持部に連設され片手で握持可能なグリップを構成していることを特徴とする。
【００１１】
第５の手段は、第４の手段であって、前記操作子は、前記グリップを握持した手の指で操作可能に構成されていることを特徴とする。
【００１２】
第６の手段は、第１の手段〜第５の手段のいずれか一の手段であって、前記係止部材は、前記抱持部の周方向に所定間隔で設けられビール缶の巻締め部の下側に潜り込む複数の爪を備え、この複数の爪によって前記ビール缶に対して前記抱持部を係止するように構成されていることを特徴とする。
【００１３】
第７の手段は、第６の手段であって、前記爪が３個以上設けられ、前記爪のうちの１つの爪は可動爪となっていて前記ビール缶の注ぎ口とは反対側に位置し、前記可動爪は半径方向に往復動作可能に構成され半径方向内方に動作したときに前記ビール缶に対して前記抱持部を係止し、半径方向外方に移動したときに係止を解除するように構成され、残りの爪は固定爪となっていること特徴とする。
【発明の効果】
【００１４】
第１の手段によれば、ビール容器を持ったままで泡立てながらビールを注ぐことができる。
第２の手段によれば、ビールを注ぐ際に注ぎ口の下に超音波振動子が位置しないため、ビール缶を伝わって流れ落ちるビールによって超音波振動子が汚れることを防止できる。
第３の手段によれば、超音波振動子がビール容器の注ぎ口に近付くため、効果的にビールを泡立てることができる。
第４の手段によれば、ビール容器に直接触ることなく、グリップを介してビール缶を持つことができる。
第５の手段によれば、グリップを握持した手の指で操作子が操作可能となっているため。片手だけでビールを泡立てつつ注ぐことができる。
第６の手段によれば、複数の爪をビール缶の巻締め部の下に潜り込ませることによって簡単にビール缶に対してビール泡立て装置を係止することができる。
第７の手段によれば、可動爪が設けられているため、ビール泡立て装置の着脱が容易となる。
【図面の簡単な説明】
【００１５】
【図１】実施形態のビール泡立て装置をビール缶に取り付けた状態とグラスとを示した側面図である。
【図２】ビール泡立て装置を後側から見た場合の斜視図である。
【図３】ビール泡立て装置の折畳み状態を示した図である。
【図４】ビール泡立て装置の展開状態を示した側面図である。
【図５】ビール泡立て装置をビール缶に取り付けた状態を示した平面図である。
【図６】ビール泡立て装置のレバー及び可動爪とその周辺とを示した斜視図である。
【図７】グリップの内部構造を示した図である。
【発明を実施するための形態】
【００１６】
以下、本発明の実施形態のビール泡立て装置について図面を用いて説明する。
【００１７】
図１は、ビール泡立て装置１０をビール缶５０に取り付けた状態とグラス６０とを示した斜視図、図２は、ビール泡立て装置１０を後側上方から見た状態を示した斜視図である。
このビール泡立て装置１０は図３（Ａ），（Ｂ）に示したように折り畳んで片手で持ち運ぶことができる。使用する際には、折り畳んであるビール泡立て装置１０を図４に示したように展開してビール缶５０に取り付ける。そして、グリップ１３を片手で握りビール缶５０を持ち上げて傾け、ビールをグラス６０に注ぐ。すると、泡無しビールがビール缶５０から排出される。そして、グラス６０に泡無しビールが所定量溜まったら、今度はボタン１４を押しながらビールを注ぐ。すると、ビール缶５０から泡立てビールが排出され、グラス６０内の泡無しビールの上に泡立てビールが盛られる。
【００１８】
（全体構成）
ビール泡立て装置１０は、大別して、ビール缶５０を抱持する抱持部１５と、抱持部１５に付設されたグリップ１３と、グリップ１３に対して着脱可能な補助接地部材２０とを備える。
【００１９】
（細部構成）
１．抱持部１５について
図２に示したように、抱持部１５はＣ字状に構成されている。抱持部１５は、ビール缶５０の缶胴部に対峙する第１部分１５ａと、ビール缶５０の缶胴部の特に肩部に対峙する第２部分１５ｂと、ビール缶５０の上端に対峙する第３部分１５ｃとを備える。
【００２０】
第１部分１５ａは、ビール泡立て装置１０をビール缶５０に取り付けた状態では、ビール缶５０の缶胴部の外側に配される。第１部分１５ａは、中心角で２８０°程度の範囲で周方向に延在している。第１部分１５ａの内面は缶胴部の外周面に対峙するように湾曲した形に形成されている。
第１部分１５ａの厚さは、ビール泡立て装置１０をビール缶５０に取り付けた状態では、グリップ１３の付設部分を基端部（以下、この部分を「基端部」という）とすると、基端部の上端をビール缶５０の上端に合致させたとき、基端部の下端部がビール缶５０の肩部よりも下側の缶胴部に当接する程度となっている。また、第１部分１５ａの厚さは周方向で略一様となっている。そして、第１部分１５ａは、ビール泡立て装置１０をビール缶５０に取り付けた状態では、基端部から各端部に向けて下り勾配となり、先端部が水平となるような形となっている。
また、図５に示したように、第１部分１５ａは、平面視で、一方のアーム１５０ａが他方のアーム１５０ｂよりも長くなっている。そして、アーム１５０ａの先端部は、半径方向外方に膨出している。このアーム１５０ａの先端部には超音波振動子（超音波ホーンを含む）４０が取り付けられている。この超音波振動子４０の取付け位置は、ビール缶５０を傾けてビールを注ぐ場合に、ビール缶５０から排出されるビールに効果的に超音波が当たる位置であることが好ましい。例えば、ビール缶５０を傾けてビールを注ぐ場合において、ビール缶５０内のビールの液面よりも下方の位置 において超音波振動子４０の少なくとも中心部とビール缶５０の缶胴部とが当接することが好ましい。
さらに、第１部分１５ａの基端部には、半径方向外方に張り出す張出し部１７（図３参照）が設けられている。張出し部１７には後述のグリップ１３が付設されている。
また、第１部分１５ａの基端部の上面にはレバー１１が設けられている。図６に示したように、レバー１１の下側には、可動爪１６ｂが設けられている。可動爪１６ｂは、半径方向に動作可能に構成され、スプリング１８の付勢力によって半径方向内方に向けて付勢されている。可動爪１６ｂの上端は、第１部分１５ａの上端よりも僅かに低い位置にあり、ビール泡立て装置１０がビール缶５０に取り付けられた状態で、可動爪１６ｂはビール缶５０の巻締め部の下に潜り込む。
【００２１】
第２部分１５ｂは、板材から構成され、第１部分１５ａの上端且つ内端に連設されている。第２部分１５ｂは、ビール泡立て装置１０をビール缶５０に取り付けた状態では、上端がビール缶５０の上端に合致し、且つ、内面がビール缶５０の缶胴部の肩部に対峙するように上方に向けて徐々に縮径されるような形に形成されている。そして、アーム１５０ｂ上の第２部分１５ｂは、アーム１５０ｂの略周方向全域に亘って延在し、アーム１５０ａ上の第２部分１５ｂは、アーム１５０ａの先端部を除く部分の略周方向全域に亘って延在している。
第２部分１５ｂには、周方向の各端部に半径方向内方に突出する固定爪１６ａが１個ずつ設けられている。各固定爪１６ａの上端は、第２部分１５ｂの上端よりも僅かに低い位置にあり、ビール泡立て装置１０がビール缶５０に取り付けられた状態で、固定爪１６ａはビール缶５０の巻締め部の下に潜り込む。
なお、ビール泡立て装置１０をビール缶５０に取り付ける際に、ビール缶５０はビール缶５０の中心から可動爪１６ｂに向けて少しばかり遊動でき、固定爪１６ａがビール泡立て装置１０の邪魔とならないようにしておき、可動爪１６ｂがスプリング１８の付勢力によって初期位置に戻ったときに固定爪１６ａがビール缶５０の巻締め部の下側潜り込むようにしている。
【００２２】
第３部分１５ｃは、円弧状の板材から構成され、第２部分１５ｂの上端に半径方向内方に張り出すように連設されている。第３部分１５ｃは、ビール缶５０の蓋部の一部の縁部を覆い隠す形に形成されている。この第３部分１５ｃは周方向の長さが第２部分１５ｂの長さよりも短く、平面視で、第２部分１５ｂの各固定爪１６ａを露出させる。
【００２３】
２．グリップ１３
グリップ１３は角柱状に形成されている。グリップ１３は、張出し部１７にヒンジを介して取り付けられ、図３に示したように、抱持部１５に対して折り畳めるようになっている。すなわち、グリップ１３は、抱持部１５に対して折り畳んだ第１位置（図３（Ａ），（Ｂ）参照）と、展開した第２位置（図４参照）とを取り得る。そして、第２位置では、図４に示すように、第１部分１５ａの張出し部１７の後端に当接し、それ以上回らないようにされている。なお、グリップ１３は、第１位置及び／又は第２位置でクリック感を持って係止されるようにしてもよい。この係止は、張出し部１７及びグリップ１３の一方に爪や突起を設け、他方に、当該爪や当該突起に係合する凹部を設け、スプリング等の付勢力によってそれらを係合させることによって容易に実現できる。
また、グリップ１３には当て棒１９が付設されている。当て棒１９は、グリップ１３に対して直角に延在している。この当て棒１９は、ビール泡立て装置１０がビール缶５０に取り付けられた際、先端がビール缶５０の缶胴部の外周に当接する。
【００２４】
３．駆動装置及び電源等について
駆動装置は電源によって動作し超音波振動子４０を作動させるためのものである。図７に示したように、駆動装置の回路部品は基板３１にマウントされ、基板３１はグリップ１３内に収容されている。また、実施形態のビール泡立て装置１０では、電源として例えば２個の単四電池が用いられ、グリップ１３にはこの単四電池を収容するための電池ボックス３２が設けられている。この電池ボックス３２はグリップ１３の背面に蓋３３を有し、蓋３３を開放することで電池の交換をすることができる。
また、駆動装置の作動のトリガーとしてモーメンタリスイッチ（図示せず）が設けられている。さらに、モーメンタリスイッチを操作するためのボタン１４がグリップ１３の背部の上側に設けられている。このボタン１４はグリップ１３を握った手の親指で操作可能に構成されている。
【００２５】
４．補助接地部材２０について
補助接地部材２０はその一部がグリップ１３の下端開口に抜差し可能に構成されている。補助接地部材２０はビール缶５０がロング缶の場合に使用される。すなわち、ビール缶５０がレギュラー缶の場合には補助接地部材２０を取り外せばグリップ１３の下端が接地する。一方、ビール缶５０がロング缶の場合にはグリップ１３の下端がテーブルから浮くことになるので、図１に示したように補助接地部材２０をグリップ１３の下に装着することで、補助接地部材２０の下端を接地させる。これによって、ビール泡立て装置１０がビール缶５０に取り付けられたときでも、ビール缶５０を安定して直立させておくことができる。
【００２６】
（使用方法及び作用）
続いて、ビール泡立て装置１０の使用方法と作用について説明する。
ビール缶５０の注ぎ口を開ける。この作業はビール泡立て装置１０をビール缶５０に取り付けられた後に行ってもよい。
抱持部１５を上方からビール缶５０に近付けるとともに、レバー１１を引く。レバー１１を引くと可動爪１６ｂがスプリング１８の付勢力に抗して半径方向外方に動作する。次に、抱持部１５をビール缶５０の上端に押し付ける。そして、第２部分１５ｂがビール缶５０の上端に当接したらレバー１１から手を離す。これにより、可動爪１６ｂと固定爪１６ａとによってビール泡立て装置１０がビール缶５０に取り付けられる。
ビール泡立て装置１０がビール缶５０に取り付けられたなら、グリップ１３を片手で握り、ビール缶５０を傾け、泡無しビールをグラス６０に注ぐ。グラス６０に泡無しビールが所定量溜まったら、ビール缶５０を引き続き傾けた状態で、ボタン１４を押す。ボタン１４を押している間、駆動装置が作動され、超音波振動子４０が動作する。これにより、ビール缶５０の注ぎ口近くのビールが泡化され、ビール缶５０の注ぎ口５１からは泡立てビールが注出され、泡無しビールの上に盛られる。
【００２７】
（実施形態の効果）
このビール泡立て装置１０の主たる効果を説明すれば次の通りである。
すなわち、ビール泡立て装置１０にはビール缶５０を持った手で操作可能なボタン１４が設けられているので、ビールを注ぎながらビールを泡立てることができる。
また、ビール泡だて装置１０は片手で持つことができるので携帯にも便利である。特に、ビール泡立て装置１０は折り畳めるので、コンパクトとなり、上着のポケットにも入れることができる。
【００２８】
（発明の変形例）
以上、本発明の実施形態について説明したが、本発明は、かかる実施形態に限定されるものでなく、その要旨を逸脱しない範囲で種々変形可能であることは言うまでもない。
例えば、上記実施形態のビール泡立て装置１０では、電源として電池を用いたが、充電池を用いてもよい。
【００２９】
また、上記実施形態では、抱持部１５をＣ字状に形成したが、周方向に欠損部が無いように環状に形成してもよい。この場合、ビール缶５０の注ぎ口に対応する部分に超音波振動子４０を設けてもよい。ただし、ビール缶を伝わって流れ落ちるビールによって超音波振動子が汚れることを防止したいのであれば、ビール缶５０の注ぎ口に対応する部分から外して超音波振動子４０や超音波ホーン４１を設けてもよい。 
【００３０】
さらに、上記実施形態では、グリップ１３を設けたが、抱持部１５だけで構成されていてもよい。その場合には、駆動装置や電源を抱持部１５の筐体に組み込めば足りる。つまり、抱持部１５の筐体を駆動装置等の収容部とすれば足りる。この場合、筐体の形を変えてもよい。
【００３１】
また、上記実施形態では、抱持部１５をＣ字状に形成したがリング状であってもよい。
【符号の説明】
【００３２】
１０   ビール泡立て装置
１１   レバー
１３   グリップ
１４   ボタン
１５   抱持部
１６ａ 固定爪
１６ｂ 可動爪
１７   張出し部
１８   スプリング
１９   棒
４０   超音波振動子
５０   ビール缶
６０   グラス
【図１】
2020111366.tif 000003
【図２】
2020111366.tif 000004
【図３】
2020111366.tif 000005
【図４】
2020111366.tif 000006
【図５】
2020111366.tif 000007
【図６】
2020111366.tif 000008
【図７】
2020111366.tif 000009
【手続補正書】
【提出日】平成31年4月25日(2019.4.25)
【手続補正１】
【補正対象書類名】明細書
【補正対象項目名】０００７
【補正方法】変更
【補正の内容】
【０００７】
第１の手段は、
携帯可能に構成されたビール泡立て装置であって、
ビール容器の上端部を抱持するように前記ビール容器に装着可能に構成されるとともに、前記ビール容器内のビールを泡立てるための超音波振動子が設けられた抱持部と、
前記超音波振動子を作動させる駆動装置を収容する収容部と、
前記抱持部が前記ビール容器の上端部を抱持した状態で前記ビール容器に対して前記抱持部を係止する係止部材と、
操作によって前記駆動装置を作動させる操作子と、
を備え、
前記ビール容器はビール缶であり、前記抱持部は、前記ビール缶の少なくとも注ぎ口に対応する部分が開口するようにＣ字状に形成されていることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
第２の手段は、第１の手段であって、前記抱持部の周方向の一端部のビール容器に当接する位置に前記超音波振動子が設けられていることを特徴とする。
【手続補正４】
【補正対象書類名】明細書
【補正対象項目名】００１０
【補正方法】変更
【補正の内容】
【００１０】
第３の手段は、第１の手段又は第２の手段であって、前記収容部は前記抱持部に連設され片手で握持可能なグリップを構成していることを特徴とする。
【手続補正５】
【補正対象書類名】明細書
【補正対象項目名】００１１
【補正方法】変更
【補正の内容】
【００１１】
第４の手段は、第３の手段であって、前記操作子は、前記グリップを握持した手の指で操作可能に構成されていることを特徴とする。
【手続補正６】
【補正対象書類名】明細書
【補正対象項目名】００１２
【補正方法】変更
【補正の内容】
【００１２】
第５の手段は、第１の手段〜第４の手段のいずれか一の手段であって、前記係止部材は、前記抱持部の周方向に所定間隔で設けられビール缶の巻締め部の下側に潜り込む複数の爪を備え、この複数の爪によって前記ビール缶に対して前記抱持部を係止するように構成されていることを特徴とする。
【手続補正７】
【補正対象書類名】明細書
【補正対象項目名】００１３
【補正方法】変更
【補正の内容】
【００１３】
第６の手段は、第５の手段であって、前記爪が３個以上設けられ、前記爪のうちの１つの爪は可動爪となっていて前記ビール缶の注ぎ口とは反対側に位置し、前記可動爪は半径方向に往復動作可能に構成され半径方向内方に動作したときに前記ビール缶に対して前記抱持部を係止し、半径方向外方に移動したときに係止を解除するように構成され、残りの爪は固定爪となっていること特徴とする。
【手続補正８】
【補正対象書類名】明細書
【補正対象項目名】００１４
【補正方法】変更
【補正の内容】
【００１４】
第１の手段によれば、ビール容器を持ったままで泡立てながらビールを注ぐことができる。
また、第１の手段によれば、ビールを注ぐ際に注ぎ口の下に超音波振動子が位置しないため、ビール缶を伝わって流れ落ちるビールによって超音波振動子が汚れることを防止できる。
第２の手段によれば、超音波振動子がビール容器の注ぎ口に近付くため、効果的にビールを泡立てることができる。
第３の手段によれば、ビール容器に直接触ることなく、グリップを介してビール缶を持つことができる。
第４の手段によれば、グリップを握持した手の指で操作子が操作可能となっているため。片手だけでビールを泡立てつつ注ぐことができる。
第５の手段によれば、複数の爪をビール缶の巻締め部の下に潜り込ませることによって簡単にビール缶に対してビール泡立て装置を係止することができる。
第６の手段によれば、可動爪が設けられているため、ビール泡立て装置の着脱が容易となる。
【手続補正９】
【補正対象書類名】特許請求の範囲
【補正対象項目名】全文
【補正方法】変更
【補正の内容】
【特許請求の範囲】
【請求項１】
携帯可能に構成されたビール泡立て装置であって、
ビール容器の上端部を抱持するように前記ビール容器に装着可能に構成されるとともに、前記ビール容器内のビールを泡立てるための超音波振動子が設けられた抱持部と、
前記超音波振動子を作動させる駆動装置を収容する収容部と、
前記抱持部が前記ビール容器の上端部を抱持した状態で前記ビール容器に対して前記抱持部を係止する係止部材と、
操作によって前記駆動装置を作動させる操作子と、
を備え、
前記ビール容器はビール缶であり、前記抱持部は、前記ビール缶の少なくとも注ぎ口に対応する部分が開口するようにＣ字状に形成されていることを特徴とするビール泡立て装置。
【請求項２】
前記抱持部の周方向の一端部のビール容器に当接する位置に前記超音波振動子が設けられていることを特徴とする請求項１記載のビール泡立て装置。
【請求項３】
前記収容部は前記抱持部に連設され片手で握持可能なグリップを構成していることを特徴とする請求項１又は請求項２記載のビール泡立て装置。
【請求項４】
前記操作子は、前記グリップを握持した手の指で操作可能に構成されていることを特徴とする請求項３記載のビール泡立て装置。
【請求項５】
前記係止部材は、前記抱持部の周方向に所定間隔で設けられビール缶の巻締め部の下側に潜り込む複数の爪を備え、この複数の爪によって前記ビール缶に対して前記抱持部を係止するように構成されていることを特徴とする請求項１〜請求項４のいずれか一項に記載のビール泡立て装置。
【請求項６】
前記爪が３個以上設けられ、前記爪のうちの１つの爪は可動爪となっていて前記ビール缶の注ぎ口とは反対側に位置し、前記可動爪は半径方向に往復動作可能に構成され半径方向内方に動作したときに前記ビール缶に対して前記抱持部を係止し、半径方向外方に移動したときに係止を解除するように構成され、残りの爪は固定爪となっていること特徴とする請求項５記載のビール泡立て装置。